(57)【要約】【課題】本発明は、環境負荷の少ない洗浄装置、洗浄方法およびこれらに使用する洗浄剤を提供することを目的とするものである。【解決手段】洗浄部２２に、天然植物のガルシニア・アトロバリディス（Ｇａｒｃｉｎｉａ・Ａｔｒｏｖｉｒｉｄｉｓ）を原料とした洗浄剤１０を注入し、この洗浄剤１０に洗浄する物品１００を浸漬して、この物品１００を洗浄することにより、環境負荷の少ない洗浄を行うことができ、たとえば機械部品、電子部品あるいは各種装置などの洗浄に用いることができる。【選択図】図２
2004181452.tif 000002
【特許請求の範囲】
【請求項１】
物品を洗浄する洗浄部を有し、この洗浄部で物品を洗浄剤に浸漬するか、あるいは洗浄剤を物品に吹き付けて洗浄を行う洗浄装置において、前記洗浄剤は天然植物を原料としてなる洗浄装置。
【請求項２】
洗浄剤は、天然植物を煮沸して製造してなる請求項１に記載の洗浄装置。
【請求項３】
洗浄剤を、酸性としてなる請求項１に記載の洗浄装置。
【請求項４】
天然植物を、柑橘類としてなる請求項１〜３のいずれか１つに記載の洗浄装置。
【請求項５】
天然植物を、ガルシニア・アトロバリディス（Ｇａｒｃｉｎｉａ・Ａｔｒｏｖｉｒｉｄｉｓ）としてなる請求項４に記載の洗浄装置。
【請求項６】
洗浄部で物品を洗浄剤に浸漬し、前記物品を超音波洗浄するものとしてなる請求項１に記載の洗浄装置。
【請求項７】
洗浄部で洗浄した物品を水洗する水洗部を付加してなる請求項１に記載の洗浄装置。
【請求項８】
水洗部で水洗した物品を乾燥させる乾燥部を付加してなる請求項７に記載の洗浄装置。
【請求項９】
物品を洗浄後の洗浄剤をろ過するろ過部を付加してなる請求項１に記載の洗浄装置。
【請求項１０】
物品を洗浄後の洗浄剤を中和または希釈する排出物処理部を付加してなる請求項１に記載の洗浄装置。
【請求項１１】
天然植物を原料とした洗浄剤を準備し、前記洗浄剤に物品を浸漬するか、あるいは前記洗浄剤を物品に吹き付けて物品の洗浄を行う洗浄方法。
【請求項１２】
洗浄剤は、天然植物を煮沸して製造してなる請求項１１に記載の洗浄方法。
【請求項１３】
洗浄剤を、酸性としてなる請求項１１に記載の洗浄方法。
【請求項１４】
天然植物を、柑橘類としてなる請求項１１〜１３のいずれか１つに記載の洗浄方法。
【請求項１５】
天然植物を、ガルシニア・アトロバリディス（Ｇａｒｃｉｎｉａ・Ａｔｒｏｖｉｒｉｄｉｓ）としてなる請求項１４に記載の洗浄方法。
【請求項１６】
物品を洗浄剤に浸漬し、前記物品を超音波洗浄してなる請求項１１に記載の洗浄方法。
【請求項１７】
洗浄した物品を水洗するものとしてなる請求項１１に記載の洗浄方法。
【請求項１８】
水洗した物品を乾燥させるものとしてなる請求項１７に記載の洗浄方法。
【請求項１９】
物品を洗浄した後の洗浄剤をろ過するものとしてなる請求項１１に記載の洗浄方法。
【請求項２０】
物品を洗浄した後の洗浄剤を中和または希釈するものとしてなる請求項１１に記載の洗浄方法。
【請求項２１】
天然植物を原料として製造してなる洗浄剤。
【請求項２２】
洗浄剤は、天然植物を煮沸して製造してなる請求項２１に記載の洗浄剤。
【請求項２３】
洗浄剤を、酸性としてなる請求項２１に記載の洗浄剤。
【請求項２４】
天然植物を、柑橘類としたものである請求項２１〜２３のいずれか１つに記載の洗浄剤。
【請求項２５】
天然植物を、ガルシニア・アトロバリディス（Ｇａｒｃｉｎｉａ・Ａｔｒｏｖｉｒｉｄｉｓ）としてなる請求項２４に記載の洗浄剤。
【発明の詳細な説明】
【技術分野】
【０００１】
本発明は、特に天然植物を原料とした洗浄剤を用いて物品の洗浄を行う洗浄装置、洗浄方法およびこれらに使用する洗浄剤に関するものである。
【背景技術】
【０００２】
従来、化学薬品を用いて物品、たとえば機械部品、電子部品、各種装置あるいは土産物など、全体または一部がセラミック、銅、真鍮、ステンレスあるいはアルミニウムなどで構成された物品を洗浄することは一般的に行われていた。
【０００３】
たとえば、特許文献１には、いくつかの部品で構成される加速度応動スイッチを組立てる際に、構成部品の一つであるハウジングを希塩酸で洗浄してから、組立作業を行うことが開示されている。
【０００４】
このような電気接点部分を有するものの接点部分が、各種の要因で汚れていた場合には、導通不良となって正常に機能しないものとなってしまっていた。
【０００５】
また、洗浄する物品のシミ、油汚れあるいは錆などが強固なものの場合などには、化学薬品を用い、布、紙やすり、ダイアモンドやすりなどを使って手作業で洗浄することも多かった。
【０００６】
なお、この出願に関する先行技術文献情報としては、例えば特許文献１が知られている。
【特許文献１】特開２０００−７４７３１号公報
【発明の開示】
【発明が解決しようとする課題】
【０００７】
しかしながら、このような従来の洗浄においては、化学薬品を使用しており、この洗浄に使用した化学薬品が、人の各種活動により環境に加えられる影響で、環境の保全上で支障を来す原因となる恐れ、すなわち環境負荷が重く（多く）なるという課題を有していた。
【０００８】
また、洗浄作業を行う作業者にとっても、化学薬品は刺激臭などを有しており、洗浄作業の安全面で好ましくないものとなっていた。
【０００９】
本発明は、前記課題を解決しようとするもので、環境負荷の少ない洗浄装置、洗浄方法およびこれらに使用する洗浄剤を提供することを目的とするものである。
【課題を解決するための手段】
【００１０】
前記目的を達成するために、本発明は以下の構成を有するものである。
【００１１】
本発明の請求項１に記載の発明は、特に、物品を洗浄する洗浄部を有し、この洗浄部で物品を洗浄剤に浸漬するか、あるいは洗浄剤を物品に吹き付けて洗浄を行う洗浄装置において、前記洗浄剤は天然植物を原料としてなるという構成を有しており、これにより、環境負荷の少ない、確実な洗浄を行うことができるという作用効果を有する。
【００１２】
本発明の請求項２に記載の発明は、特に、洗浄剤は、天然植物を煮沸して製造してなるという構成を有しており、これにより、天然植物成分を短時間に溶出させて洗浄剤を工業的に製造することができ、また、煮沸条件を調整することにより洗浄剤を所定のｐＨに設定し製造することができるという作用効果を有する。
【００１３】
本発明の請求項３に記載の発明は、特に、洗浄剤を、酸性としてなるという構成を有しており、これにより、酸性の化学薬品と同様の洗浄ができ、かつ環境負荷が少ないという作用効果を有する。
【００１４】
本発明の請求項４に記載の発明は、特に、天然植物を、柑橘類としてなるという構成を有しており、これにより、酸性の洗浄剤を容易に製造することができ、かつ環境負荷が少ないという作用効果を有する。
【００１５】
本発明の請求項５に記載の発明は、特に、天然植物を、ガルシニア・アトロバリディス（Ｇａｒｃｉｎｉａ・Ａｔｒｏｖｉｒｉｄｉｓ）としてなるという構成を有しており、これにより、強酸性の洗浄剤を容易に製造することができ、かつ環境負荷が少ないという作用効果を有する。
【００１６】
本発明の請求項６に記載の発明は、特に、洗浄部で物品を洗浄剤に浸漬し、前記物品を超音波洗浄するものとしてなるという構成を有しており、これにより、洗浄時間が短縮でき、かつ確実で良好な洗浄ができるという作用効果を有する。
【００１７】
本発明の請求項７に記載の発明は、特に、洗浄部で洗浄した物品を水洗する水洗部を付加してなるという構成を有しており、これにより、物品に残存あるいは付着した洗浄剤を確実に除去することができ、物品の特性、品質が維持できるという作用効果を有する。
【００１８】
本発明の請求項８に記載の発明は、特に、水洗部で水洗した物品を乾燥させる乾燥部を付加してなるという構成を有しており、これにより、物品に付着した不要な水分を短時間で除去することができ、物品の特性、品質が維持できるという作用効果を有する。
【００１９】
本発明の請求項９に記載の発明は、特に、物品を洗浄後の洗浄剤をろ過するろ過部を付加してなるという構成を有しており、これにより、洗浄剤を再利用することができ、かつ環境負荷が少なくなるという作用効果を有する。
【００２０】
本発明の請求項１０に記載の発明は、特に、物品を洗浄後の洗浄剤を中和または希釈する排出物処理部を付加してなるという構成を有しており、これにより、洗浄後の排出物を無害化でき、より環境負荷が少なくなるという作用効果を有する。
【００２１】
本発明の請求項１１に記載の発明は、特に、天然植物を原料とした洗浄剤を準備し、前記洗浄剤に物品を浸漬するか、あるいは前記洗浄剤を物品に吹き付けて物品の洗浄を行うという構成を有しており、これにより、環境負荷の少ない、確実な洗浄を行うことができるという作用効果を有する。
【００２２】
本発明の請求項１２に記載の発明は、特に、天然植物を煮沸して製造した洗浄剤を使用する洗浄方法としてなるという構成を有しており、これにより、天然植物成分を短時間に溶出させて洗浄剤を工業的に製造することができ、また、煮沸条件を調整することにより洗浄剤を所定のｐＨに設定し製造することができるという作用効果を有する。
【００２３】
本発明の請求項１３に記載の発明は、特に、酸性としてなる洗浄剤を使用する洗浄方法としてなるという構成を有しており、これにより、酸性の化学薬品と同様の洗浄ができ、かつ環境負荷が少ないという作用効果を有する。
【００２４】
本発明の請求項１４に記載の発明は、特に、天然植物の柑橘類を原料とした洗浄剤を使用する洗浄方法としてなるという構成を有しており、これにより、酸性の洗浄剤を容易に製造することができ、かつ環境負荷が少ないという作用効果を有する。
【００２５】
本発明の請求項１５に記載の発明は、特に、天然植物のガルシニア・アトロバリディス（Ｇａｒｃｉｎｉａ・Ａｔｒｏｖｉｒｉｄｉｓ）を原料とした洗浄剤を使用する洗浄方法としてなるという構成を有しており、これにより、強酸性の洗浄剤を容易に製造することができ、かつ環境負荷が少ないという作用効果を有する。
【００２６】
本発明の請求項１６に記載の発明は、特に、物品を洗浄剤に浸漬し、前記物品を超音波洗浄する洗浄方法としてなるという構成を有しており、これにより、洗浄時間が短縮でき、かつ確実で良好な洗浄ができるという作用効果を有する。
【００２７】
本発明の請求項１７に記載の発明は、特に、洗浄した物品を水洗する洗浄方法としてなるという構成を有しており、これにより、物品に残存あるいは付着した洗浄剤を確実に除去することができ、物品の特性、品質が維持できるという作用効果を有する。
【００２８】
本発明の請求項１８に記載の発明は、特に、水洗した物品を乾燥させる洗浄方法としてなるという構成を有しており、これにより、物品に付着した不要な水分を短時間で除去することができ、物品の特性、品質が維持できるという作用効果を有する。
【００２９】
本発明の請求項１９に記載の発明は、特に、物品を洗浄した後の洗浄剤をろ過する洗浄方法としてなるという構成を有しており、これにより、洗浄剤を再利用することができ、かつ環境負荷が少なくなるという作用効果を有する。
【００３０】
本発明の請求項２０に記載の発明は、特に、物品を洗浄した後の洗浄剤を中和または希釈する洗浄方法としてなるという構成を有しており、これにより、洗浄後の排出物を無害化でき、より環境負荷が少なくなるという作用効果を有する。
【００３１】
本発明の請求項２１に記載の発明は、特に、天然植物を原料として製造してなる洗浄剤という構成を有しており、これにより、環境負荷の少ない、確実な洗浄を行うことができるという作用効果を有する。
【００３２】
本発明の請求項２２に記載の発明は、特に、洗浄剤は、天然植物を煮沸して製造してなるという構成を有しており、これにより、天然植物成分を短時間に溶出させて洗浄剤を工業的に製造することができ、また、煮沸条件を調整することにより洗浄剤を所定のｐＨに設定し製造することができるという作用効果を有する。
【００３３】
本発明の請求項２３に記載の発明は、特に、洗浄剤を、酸性としてなるという構成を有しており、これにより、酸性の化学薬品と同様の洗浄ができ、かつ環境負荷が少ないという作用効果を有する。
【００３４】
本発明の請求項２４に記載の発明は、特に、洗浄剤の原料の天然植物を、柑橘類としたものであるという構成を有しており、これにより、酸性の洗浄剤を容易に製造することができ、かつ環境負荷が少ないという作用効果を有する。
【００３５】
本発明の請求項２５に記載の発明は、特に、洗浄剤の原料の天然植物を、ガルシニア・アトロバリディス（Ｇａｒｃｉｎｉａ・Ａｔｒｏｖｉｒｉｄｉｓ）としてなるという構成を有しており、これにより、強酸性の洗浄剤を容易に製造することができ、かつ環境負荷が少ないという作用効果を有する。
【発明の効果】
【００３６】
本発明の洗浄装置、洗浄方法および洗浄剤は、天然植物のガルシニア・アトロバリディスを原料とした洗浄剤を用いる洗浄の構成であり、環境負荷の少ない確実な洗浄を行うことができるという効果を有する。
【発明を実施するための最良の形態】
【００３７】
以下、実施の形態を用いて、本発明の請求項１〜２５に記載の発明について図面を参照しながら説明する。
【００３８】
まず、本発明の洗浄剤の製造方法について図１を用いて説明する。図１は本発明の実施の形態における洗浄剤の概略製造工程図であり、各種の物品を洗浄するための洗浄剤１０の製造工程について説明する。
【００３９】
図１の製造工程の前に、まず洗浄剤１０の原料となる天然植物のガルシニア・アトロバリディス（Ｇａｒｃｉｎｉａ・Ａｔｒｏｖｉｒｉｄｉｓ）の乾燥果実を、別途水洗（図示せず）しておく。
【００４０】
天然植物の中でも特にガルシニアが、環境負荷の少ない洗浄剤として適しているのであり、このガルシニアは柑橘類で、マレーシア、カンボジア、タイなどの南アジア各国においては一般的な植物であって、その果実は容易に入手できるものである。
【００４１】
その果実は強い酸性を示すが食用が可能であり、ガルシニアの乾燥果実も容易に入手でき、食用可能で、やはり強い酸性を示し、調味料としても利用されている。また、ガルシニアの抽出物は医薬品としても知られており、その成分にはヒドロキシクエン酸（ＨＣＡ）などのクエン酸類、りんご酸類、アスコルビン酸などが含まれている。
【００４２】
このガルシニアの一種であるガルシニア・アトロバリディス（Ｇａｒｃｉｎｉａ・Ａｔｒｏｖｉｒｉｄｉｓ）は柑橘類で、マレーシアにおいては一般的な植物であり、その果実は容易に入手できるものである。
【００４３】
そして、その果実はそのまま食用可能で、強い酸性を示すものであり、この乾燥果実も容易に入手でき、食用可能で、やはり強い酸性を示し、調味料としても利用されている。
【００４４】
次に、図１に示すように、準備工程１１１で加熱機能を有する水槽１２の電源をオンにし、注水工程１１２で純水を水槽１２に注入する。そして、加熱条件設定工程１１３で所定の加熱条件を設定し、加熱工程１１４で水槽１２内の純水を加熱する。
【００４５】
次に、煮沸工程１１５で水槽１２内にガルシニア・アトロバリディス（Ｇａｒｃｉｎｉａ・Ａｔｒｏｖｉｒｉｄｉｓ）の乾燥果実を投入して煮沸する。なお、洗浄剤１０の原料であるガルシニア・アトロバリディス（Ｇａｒｃｉｎｉａ・Ａｔｒｏｖｉｒｉｄｉｓ）の乾燥果実は、予め水槽１２の中に投入しておいてもよい。
【００４６】
純水とガルシニア・アトロバリディス（Ｇａｒｃｉｎｉａ・Ａｔｒｏｖｉｒｉｄｉｓ）の乾燥果実の比は、実験の結果より純水２２リットルに対して乾燥果実１０グラムが望ましい。
【００４７】
なお、本実施の形態では、ガルシニア・アトロバリディス（Ｇａｒｃｉｎｉａ・Ａｔｒｏｖｉｒｉｄｉｓ）の乾燥果実から洗浄剤１０を製造するものとして説明するが、生の果実のガルシニア・アトロバリディス（Ｇａｒｃｉｎｉａ・Ａｔｒｏｖｉｒｉｄｉｓ）から洗浄剤１０を製造してもよい。
【００４８】
煮沸工程１１５でガルシニア・アトロバリディス（Ｇａｒｃｉｎｉａ・Ａｔｒｏｖｉｒｉｄｉｓ）の乾燥果実を所定時間煮沸して、果実成分を溶出させて溶液を製造するのであるが、煮沸することで果実成分を短時間で溶出させるのである。
【００４９】
この煮沸中に溶液が所定のｐＨとなったら煮沸作業を終了するのであるが、本実施の形態では、煮沸作業を約２０分間行い、溶液がｐＨ２〜ｐＨ３となるようにしている。
【００５０】
煮沸工程１１５で溶液がｐＨ２〜ｐＨ３とならなかった場合には、調整工程１１６で調整を行う。すなわち、溶液がｐＨ２に満たない場合は純水を加え、ｐＨ３より大きい場合にはガルシニア・アトロバリディス（Ｇａｒｃｉｎｉａ・Ａｔｒｏｖｉｒｉｄｉｓ）の乾燥果実を追加する。
【００５１】
次に、ろ過工程１１７においてフィルタ１４で前記溶液をろ過する。このようにして製造された洗浄剤１０は、天然植物であるガルシニア・アトロバリディス（Ｇａｒｃｉｎｉａ・Ａｔｒｏｖｉｒｉｄｉｓ）の果実成分を溶出させたものであり、人が素手で触れても、あるいは飲用しても人体に悪影響がなく、環境負荷の少ないものである。
【００５２】
次のラベル貼付工程１１８では、この完成した洗浄剤１０が、製造日、ｐＨ値などを記載したラベルを貼り付けた適切な容器１６に移される。そして保管部１１９（保管工程）で貯蔵された洗浄剤１０は、各種の物品の洗浄作業を行う際に、適宜取り出されることになる。
【００５３】
また、市販されているガルシニア・アトロバリディス（Ｇａｒｃｉｎｉａ・Ａｔｒｏｖｉｒｉｄｉｓ）の抽出物からなる製剤を用い、その抽出物を純水に投入し、溶解して水溶液を作製し、これを洗浄剤１０として用いることもできる。この場合にも必要事項を明記したラベルを貼り付けた容器１６に保管する。
【００５４】
洗浄剤１０のｐＨは、各種の物品における部品の洗浄では、ｐＨ値が１〜５の範囲の洗浄剤１０を用いることが望ましく、電子部品などの物品ではパレットに収容された状態で洗浄されることが多い。従って、パレットが金属製などの場合には、ｐＨ値が１〜５の範囲の洗浄剤１０を用いることができる。
【００５５】
一方、パレットが熱可塑性プラスチック製などの場合には、洗浄剤１０のｐＨ値を２〜３の範囲に調整することが望ましい。ｐＨ値が低すぎるとパレットの劣化を引き起こすことがあるからであり、従って、部品をパレットに収容してパレットごと洗浄する場合には、ｐＨ値を２〜３の範囲に保つことが適している。
【００５６】
次に、本発明の洗浄方法について図２を用いて説明する。図２は本発明の実施の形態における洗浄作業を説明する概略構成図であり、図２において洗浄装置２における洗浄部２２に洗浄剤１０を所定量注入する。
【００５７】
この洗浄部２２は超音波洗浄機構を有する超音波洗浄槽であり、また洗浄剤１０を加熱するための加熱機能も有するものである。このとき用いる洗浄剤１０のｐＨ値は、希望する洗浄レベルや物品１００の種類や数量に応じて、適宜、調整することができるのであり、本実施の形態では、電子部品を収容したパレットごと洗浄を行うもので、洗浄剤１０のｐＨ値を２〜３に調整している。
【００５８】
次に、洗浄対象とされる物品１００は洗浄剤１０の中に浸漬して洗浄を行う。洗浄時間や洗浄剤１０の温度は、物品１００の希望する洗浄レベルに応じて適宜設定する。このとき超音波洗浄を行えば短時間での洗浄が可能となる。この超音波洗浄の周波数は、希望する洗浄レベル、物品１００の数量や種類に応じて適宜設定する。
【００５９】
図２に示す洗浄装置２は、同じ構成でなる二つの洗浄部２２、２３を有しており、二つの洗浄部２２と２３が互いに同一の条件の洗浄剤１０を用いても良いし、必要に応じて洗浄部２２と洗浄部２３がそれぞれ異なった条件の洗浄剤１０としても良い。
【００６０】
すなわち、一度に大量の物品１００を同一条件で洗浄する場合には、洗浄部２２と洗浄部２３を同一条件にすればよいし、予備洗浄と本洗浄の２工程にしたい場合には、洗浄部２２と洗浄部２３の条件を予備洗浄または本洗浄に合わせてそれぞれ調整し設定すればよい。
【００６１】
適正な洗浄剤１０のｐＨ値は、予備洗浄および本洗浄の何れの工程においても所定のｐＨ値の範囲を維持する必要がある。そのため、洗浄剤１０のｐＨ値のモニターを行うと共に、ｐＨ値が所定範囲から外れた場合には、貯蔵された洗浄剤１０の供給または純水の供給を行うことにより、最適なｐＨ値の制御を行うのである。
【００６２】
次に、洗浄後の物品１００を洗浄部２２、洗浄部２３から取り出し、水洗部２４に移動する。この水洗部２４で物品１００を純水で水洗し、物品１００に付着した洗浄剤１０を洗い流して除去する。
【００６３】
次に、水洗後の物品１００を水洗部２４から乾燥部２６に移動する。この乾燥部２６はファンなどの送風機構を備えたものであり、この乾燥部２６で物品１００に付着した水分を予備乾燥させる。さらに、この物品１００を加熱炉２８に移して加熱し、完全に物品１００を乾燥させる。
【００６４】
物品１００の洗浄作業後に洗浄部２２に残った使用済洗浄剤１９は、排出物処理部３０でｐＨ７に化学的な処理で中和されるか、あるいは希釈された後、下水溝、河川などの水路３５に排出される。
【００６５】
同じく、水洗作業後に水洗部２４に残った使用済液体２９も排出物処理部３０で中和されるか、あるいは希釈された後、水路３５に排出される。このような構成にすることにより、環境負荷を少ないものとしているのである。
【００６６】
さて、洗浄部２２に残った使用済洗浄剤１９は再利用することも可能である。この場合、使用済洗浄剤１９はフィルタ４０などでろ過された後、ポンプ５０などで洗浄部２２に汲み戻されて、次に洗浄作業に使用される。
【００６７】
次に、本発明の洗浄装置の構成について図３を用いて説明する。図３は本発明の実施の形態における洗浄装置の要部構成斜視図である。
【００６８】
図３において洗浄装置６０は、前記で説明した図２に示す洗浄装置２と同様の構成をしており、洗浄槽６３は図２に示す洗浄部２２あるいは洗浄部２３に相当し、水洗槽６４は図２に示す水洗部２４に相当する。また、送風機６５は図２に示す乾燥部２６に相当し、加熱炉６６は図２に示す加熱炉２８に相当する。そして、パレット６２は図２に示す物品１００に相当するのである。
【００６９】
図３に示すパレット６２は、電子部品の製造工程で電子部品を保持するために使用されるものであり、その洗浄レベルが製造される電子部品の特性や良品率に影響を与えることになるものである。
【００７０】
このパレット６２は、治具６１に保持され、洗浄剤１０を注入した洗浄槽６３に浸漬されて洗浄される。その後、治具６１と共にパレット６２は、純水を注入した水洗槽６４に浸漬されて水洗される。そして、水洗されたパレット６２は、治具６１と共に送風機６５と加熱炉６６で乾燥させられることになるのである。
【００７１】
なお、本実施の形態では、物品１００を洗浄剤１０に浸漬して洗浄するものとして説明したが、物品１００に洗浄剤１０を吹き付けて洗浄作業を行ってもよい。この場合、被洗浄物である物品１００によっては、一度洗浄剤１０を吹き付けて放置するだけでよい場合もある。
【００７２】
また、要求される洗浄レベルに応じて、被洗浄物の物品１００に洗浄剤１０をシャワー状に連続的に吹き付けることもできる。また、洗浄後の物品１００のすすぎ作業についても、物品１００を純水に浸漬して水洗する方法以外に、物品１００に純水を直接吹き付けて水洗してもよい。
【００７３】
本発明の実施の形態では、ガルシニアとしてガルシニア・アトロバリディス（Ｇａｒｃｉｎｉａ・Ａｔｒｏｖｉｒｉｄｉｓ）の果実を用いて説明したが、ガルシニア・カンボジア（Ｇａｒｃｉｎｉａ・ｃａｍｂｏｇｉａ）や、ガルシニア・マンゴスタ（Ｇａｒｃｉｎｉａ・ｍａｎｇｏｓｔａｎａ）など、他のガルシニア類の果実を用いることもできる。
【００７４】
これらのガルシニアの果実からの抽出物を洗浄剤として用いることにより、洗浄剤の表面張力が低下して、複雑な形状の物品のすみずみまで洗浄剤が浸透する効果や、抗酸化作用などが洗浄剤として有利な効果を生み出すものと考えられるのである。
【００７５】
以上のように、本発明の洗浄装置、洗浄方法および洗浄剤は、全体または一部がセラミック、銅、真鍮、ステンレス、鋼、アルミニウムあるいはプラスチックなどで構成された物品の洗浄作業に使用可能であり、かつ環境負荷の少ない洗浄を行うことができるものである。
【００７６】
また、例示した実施の形態に限定されることなく、本発明の範囲内で様々な形態で実施することが可能なものである。
【産業上の利用可能性】
【００７７】
本発明にかかる洗浄装置、洗浄方法および洗浄剤は、環境負荷の少ない洗浄を行うことができ、たとえば機械部品、電子部品あるいは各種装置などの洗浄に用いることができる。
【図面の簡単な説明】
【００７８】
【図１】本発明の実施の形態における洗浄剤の概略製造工程図
【図２】同実施の形態における洗浄作業を説明する概略構成図
【図３】同実施の形態における洗浄装置の要部構成斜視図
【符号の説明】
【００７９】
２、６０  洗浄装置
１０  洗浄剤
１２  水槽
１４、４０  フィルタ
１６  容器
１９  使用済洗浄剤
２２、２３  洗浄部
２４  水洗部
２６  乾燥部
２８、６６  加熱炉
２９  使用済液体
３０、７０  排出物処理部
３５  水路
５０  ポンプ
６１  治具
６２  パレット
６３  洗浄槽
６４  水洗槽
６５  送風機
１００  物品
１１１  準備工程
１１２  注水工程
１１３  加熱条件設定工程
１１４  加熱工程
１１５  煮沸工程
１１６  調整工程
１１７  ろ過工程
１１８  ラベル貼付工程
１１９  保管部
【図１】
2004181452.tif 000003
【図２】
2004181452.tif 000004
【図３】
2004181452.tif 000005